(57)【要約】【課題】傾斜屋根部の上に太陽光パネルが設置されている構成において、太陽光パネルの上に積もった雪が軒先から下方に一気に落下することを抑制し、しかも太陽光パネルによる発電環境を早期に回復させる。【解決手段】傾斜屋根部２２の上には太陽光パネル３２が設置されており、傾斜屋根部２２の上において太陽光パネル３２よりも軒先２３側には雪止め部材４１が設置されている。雪止め部材４１は、平板状の網状体により形成されており、傾斜屋根部２２の傾斜方向に沿って延びるように配置されている。雪止め部材４１の上面は、屋根面２２ａに対する太陽光パネル３２の受光面３２ａの高さ位置と同じ又はそれよりも低い位置にある。屋根１３に雪が積もった場合、太陽光パネル３２の上を滑り落ちた雪は雪止め部材４１に載り、雪止め部材４１の網目により細分化されながら徐々に融け落ちることになる。【選択図】図１
2012246639.tif 000002
【特許請求の範囲】
【請求項１】
傾斜した傾斜屋根部を有し、該傾斜屋根部の上に太陽光発電を行うための太陽光パネルが設置されている建物に適用され、
前記太陽光パネルの受光面に積もった雪の滑り落ちを防止する雪止め部材が前記傾斜屋根部の上に設けられており、
前記雪止め部材は、前記太陽光パネルよりも屋根傾斜方向の下側の位置、及び前記太陽光パネルの受光面上の所定の雪止め位置の少なくとも一方に設けられ、前記屋根傾斜方向に沿って延び全体として平板状をなす網状体により構成されていることを特徴とする屋根の雪止め構造。
【請求項２】
前記雪止め部材は、前記太陽光パネルよりも屋根傾斜方向の下側の位置に設けられており、前記傾斜屋根部の上面に対する高さが、前記太陽光パネルの受光面までの高さと同じ又はそれよりも低くされていることを特徴とする請求項１に記載の屋根の雪止め構造。
【請求項３】
前記傾斜屋根部の上にパネル支持用の支持部材が設けられ、複数の前記太陽光パネルは並べられた状態で前記支持部材により支持されており、前記支持部材により前記雪止め部材が支持されていることを特徴とする請求項１又は２に記載の屋根の雪止め構造。
【請求項４】
前記傾斜屋根部とその上方の前記太陽光パネルとの間には隙間空間が形成されており、該隙間空間に前記雪止め部材が収納可能とされていることを特徴とする請求項１乃至３のいずれか１項に記載の屋根の雪止め構造。
【請求項５】
前記雪止め部材をスライド移動させるスライド支持部材を有し、該スライド支持部材により、前記雪止め部材が前記隙間空間に収納された位置と、収納されていない位置とで移動可能とされていることを特徴とする請求項４に記載の屋根の雪止め構造。
【請求項６】
前記雪止め部材は、前記太陽光パネルの受光面上の前記所定の雪止め位置に設けられたパネル上雪止め部材を有しており、
前記パネル上雪止め部材を、前記所定の雪止め位置から前記太陽光パネルよりも軒先側に移動可能とする移動手段が設けられていることを特徴とする請求項１乃至５のいずれか１項に記載の屋根の雪止め構造。
【請求項７】
前記雪止め部材は、互いに上下に重なった状態となる複数の網状体を有して構成され、該複数の網状体は、前記重なった状態と重なっていない状態とに移行可能であることを特徴とする請求項１乃至６のいずれか１項に記載の屋根の雪止め構造。
【発明の詳細な説明】
【技術分野】
【０００１】
本発明は、屋根の雪止め構造に関するものである。
【背景技術】
【０００２】
住宅等の建物が切妻式や寄棟式の屋根を有している場合、その傾斜屋根部の上に雪が積もると積もった雪が塊となって傾斜屋根部から一気に落下するおそれがある。そこで、屋根面から上方に向けて突出した突出部材が雪止め部材として傾斜屋根部に設けられ、傾斜屋根部の上に積もった雪が一気に落下することを雪止め部材により阻止する技術が提案されている。例えば特許文献１においては、突出部材としてのアングル雪止め金具が傾斜屋根部の軒先側に設けられており、アングル雪止め部材により屋根の勾配が緩傾斜にされている。この場合、傾斜屋根部の上に積もった雪が滑り落ちる際にその滑り落ちる勢いがアングル部材により緩和されるため、屋根の上から雪が一気に滑り落ちることが抑制される。
【先行技術文献】
【特許文献】
【０００３】
【特許文献１】特開２００５−２５６２９３号公報
【発明の概要】
【発明が解決しようとする課題】
【０００４】
ところで、屋根の上には、太陽光発電を行う太陽光パネルが設置されることがある。太陽光パネルの受光面は傾斜屋根部の屋根面よりも平坦で雪が滑りやすいが、冬期の夜中などに受光面が凍りついてその受光面の上に雪が積もった場合、昼間になって気温の上昇することで雪は受光面との接触部分が解けて塊となって受光面の上を滑り落ちることになる。ここで、太陽光パネルの上では屋根面の上に比べて雪が一気に滑り落ちやすいと考えられる。また、降雪後において太陽光パネルの上に雪が残っていると、その雪が残る太陽光パネルでは太陽光発電が実施できない又は実施できても発電効率が低下するという不都合が生じる。
【０００５】
以上のように、太陽光パネルが設置された屋根において、太陽光パネルからの雪の落下を抑制する構成に関して改善の余地がある。
【０００６】
本発明は、傾斜屋根部の上に太陽光パネルが設置されている構成において、太陽光パネルの上に積もった雪が軒先から下方に一気に落下することを抑制し、しかも積雪後において太陽光パネルによる発電環境を早期に回復させることを主たる目的とする。
【課題を解決するための手段】
【０００７】
上記課題を解決するために、第１の発明の屋根の雪止め構造は、傾斜した傾斜屋根部を有し、該傾斜屋根部の上に太陽光発電を行うための太陽光パネルが設置されている建物に適用され、前記太陽光パネルの受光面に積もった雪の滑り落ちを防止する雪止め部材が前記傾斜屋根部の上に設けられており、前記雪止め部材は、前記太陽光パネルよりも屋根傾斜方向の下側の位置、及び前記太陽光パネルの受光面上の所定の雪止め位置の少なくとも一方に設けられ、前記屋根傾斜方向に沿って延び全体として平板状をなす網状体により構成されていることを特徴とする。
【０００８】
第１の発明によれば、屋根の上に雪が積もり、その後、融雪に伴って雪が太陽光パネルの上を滑り落ちると、その滑り落ちてきた雪は、屋根傾斜方向に沿って延びている網状体の雪止め部材の上でとどまる。この場合、雪止め部材が屋根傾斜方向に沿って延びているため、屋根面から上方に向けて突出している既存の構成とは異なり、太陽光パネルの上を滑り落ちてきた雪が、屋根傾斜方向に比較的広域に薄く広がった状態で屋根上にとどまることになる。この状態では、網状体の網の隙間から雪が細分化されながら徐々に融け落ちていき、しかも屋根上に残る雪が太陽光を受けやすいため、融雪を早める上で有利となる。したがって、太陽光パネルの上に積もった雪が軒先から下方に一気に落下することを抑制し、しかも太陽光パネルによる発電環境を早期に回復させることができる。
【０００９】
第２の発明では、前記雪止め部材は、前記太陽光パネルよりも屋根傾斜方向の下側の位置に設けられており、前記傾斜屋根部の上面に対する高さが、前記太陽光パネルの受光面までの高さと同じ又はそれよりも低くされている。
【００１０】
第２の発明によれば、太陽光パネルの積雪が滑り落ちる際にその雪が雪止め部材の上に載りやすくなる。このため、屋根傾斜方向に比較的広域に薄く広がった状態で雪を屋根上にとどめておく上で好都合である。また、太陽光パネルの上を雪が滑り落ちる際に、その雪が太陽光パネルの上から雪止め部材の上に移りやすくなるため、屋根上に積雪が残っているにしても、太陽光パネルの受光面上からは雪の除去が促されることになり、太陽光発電能力を回復させる上で有利である。
【００１１】
第３の発明では、前記傾斜屋根部の上にパネル支持用の支持部材が設けられ、複数の前記太陽光パネルは並べられた状態で前記支持部材により支持されており、前記支持部材により前記雪止め部材が支持されている。
【００１２】
第３の発明によれば、パネル支持用の支持部材を使って雪止め部材を固定できる。したがって、積雪が多い場合を想定すると雪止め部材を支持部材により強固に固定できることは有効である。しかも、太陽光パネルと雪止め部材とが共にパネル支持用のパネル支持部材により支持される構成によれば、その支持部材により太陽光パネルが設置可能となっている位置に、太陽光パネルに代えて雪止め部材を設置することが可能となる。したがって、雪止め部材の位置を任意に変更できることになる。
【００１３】
第４の発明では、前記傾斜屋根部とその上方の前記太陽光パネルとの間には隙間空間が形成されており、該隙間空間に前記雪止め部材が収納可能とされている。
【００１４】
第４の発明によれば、降雪シーズン以外において、雪止め部材をパネル下方の空間部に収納することができる。この場合、網状体よりなる雪止め部材にゴミや木葉等が引っ掛かることを抑制できる。
【００１５】
第５の発明では、前記雪止め部材をスライド移動させるスライド支持部材を有し、該スライド支持部材により、前記雪止め部材が前記隙間空間に収納された位置と、収納されていない位置とで移動可能とされている。
【００１６】
第５の発明によれば、雪止め部材を隙間空間に収納する作業を容易化することができる。
【００１７】
第６の発明では、前記雪止め部材は、前記太陽光パネルの受光面上の前記所定の雪止め位置に設けられたパネル上雪止め部材を有しており、前記パネル上雪止め部材を、前記所定の雪止め位置から前記太陽光パネルよりも軒先側に移動可能とする移動手段が設けられている。
【００１８】
第６の発明によれば、太陽光パネルの上にパネル上雪止め部材を載せた状態とされるため、屋根面上において太陽光パネルの設置スペースを極力大きくする等の目的から雪止め部材の設置スペースが確保されていなくても、太陽光パネルの受光面上に雪止め機能を付与できる。
【００１９】
ただし、パネル上雪止め部材を太陽光パネルの受光面の上に載せたままにしておくと、太陽光パネルの発電能力が下がることが懸念される。この点、上記のとおりパネル上雪止め部材を、受光面上の所定の雪止め位置から太陽光パネルよりも軒先側に移動させることで、例えば降雪シーズン以外ではパネル上雪止め部材が太陽光パネルの受光面上に載らず、太陽光発電能力の低下を抑制できる。この場合、例えばパネル上雪止め部材を軒先よりも先に突出させる、又は軒先から下方に吊り下げることにより、このパネル上雪止め部材を日除けとして利用できる。
【００２０】
なお、パネル上雪止め部材を、受光面上の所定の雪止め位置から太陽光パネルよりも軒先側に移動させるための構成としては、パネル上雪止め部材をヒンジ部材により回転移動させる構成や、レールに沿ってスライド移動させる構成が挙げられる。
【００２１】
第７の発明では、前記雪止め部材は、互いに上下に重なった状態となる複数の網状体を有して構成され、該複数の網状体は、前記重なった状態と重なっていない状態とに移行可能である。
【００２２】
第７の発明によれば、雪止め部材において、複数の網状体が重なった状態から重なっていない状態に移行することにより、屋根面上における雪止め領域を拡張できる。したがって、屋根上の積雪が一気に落下すること及び太陽光パネルによる発電環境を早期に回復させることの両方において好都合である。
【図面の簡単な説明】
【００２３】
【図１】第１の実施形態における建物の外観を示す斜視図。
【図２】屋根の構成を示す断面図。
【図３】第２の実施形態における傾斜屋根部の構成を示す断面図。
【図４】雪止め部材の移動可能な位置について説明するための図。
【図５】第３の実施形態における傾斜屋根部の構成を示す断面図。
【図６】雪止め部材の移動可能な位置について説明するための図。
【図７】別の雪止め部材の構成を示す図。
【発明を実施するための形態】
【００２４】
（第１の実施形態）
以下、本発明を具体化した一実施形態について図面を参照しつつ説明する。本実施形態では、本発明の二階建て建物として具体化している。図１は、建物１０の外観を示す斜視図、図２は傾斜屋根部２２の構成を示す断面図である。なお、図１においては、（ａ）に建物１０を正面側から見た図を示し、（ｂ）に反対側から見た図を示す。
【００２５】
図１に示すように、住宅等の建物１０は、基礎１１の上に設置された建物本体１２と、建物本体１２の上に設置された屋根１３とを有している。建物本体１２は、下階部としての一階部分１２ａと、一階部分１２ａの上に設置された上階部としての二階部分１２ｂとを有している。
【００２６】
建物本体１２の一側面（例えば南面）においては、建物１０内への出入りが可能な玄関１５が一階部分１２ａに設けられており、屋外側へ張り出した張出部としてのバルコニー１６が二階部分１２ｂに設けられている。玄関１５はバルコニー１６の斜め下方に配置されている。この場合、玄関１５とバルコニー１６とは建物本体１２の一側面において左右にずれて配置されている。
【００２７】
建物１０は敷地Ｓにて構築されており、建物本体１２における玄関１５及びバルコニー１６とは反対側の側面が敷地境界線Ｌと平行に延びるように配置されている。建物１０は敷地Ｓにおいて敷地境界線Ｌ側に配置されており、建物１０と敷地境界線Ｌとの離間距離は例えば１ｍとなっている。
【００２８】
屋根１３は、切妻式の屋根とされており、棟２１を挟んで配置された一対の傾斜屋根部２２を有している。一対の傾斜屋根部２２は、それぞれ棟２１を上端として軒先２３に向けて斜め下方に傾斜している。一対の傾斜屋根部２２の各軒先２３はそれぞれ建物本体１２よりも側方へ突出しており、一方の傾斜屋根部２２の軒先２３は玄関１５の上方に配置され、他方の傾斜屋根部２２の軒先２３は建物本体１２よりも敷地境界線Ｌ側に突出した状態となっている。
【００２９】
図２に示すように、傾斜屋根部２２は、棟２１から軒先２３に向けて斜め下方に延びる垂木２５と、垂木２５の上に載置された屋根下地材としての野地板２６と、野地板２６の上に載置された屋根仕上材としての瓦２７とを有している。垂木２５は、傾斜屋根部２２の傾斜方向（流れ方向）に沿って延びる長尺材であり、棟２１が延びる方向（棟方向）に複数並べて配置され、それぞれの上端が棟木に固定されている。
【００３０】
野地板２６は合板により形成されており、複数の垂木２５に跨った状態で設置されている。瓦２７は、金属板材やスレート材により板状に形成された屋根葺き材であり、ビス等の固定具により垂木２５に対して固定されている。瓦２７は、傾斜屋根部２２の流れ方向及び棟方向のそれぞれにおいて並べて複数配置されている。瓦２７と野地板２６との間には木製の桟木２８が設けられており、桟木２８により瓦２７の位置決めがなされている。
【００３１】
傾斜屋根部２２の流れ方向においては、隣り合う瓦２７が互いの一部を上下に重ねた状態で設置されており、瓦２７の上面の傾斜角度は野地板２６の傾斜角度（傾斜屋根部２２の傾斜角度）よりも大きくなっている。この場合、傾斜屋根部２２において、複数の瓦２７の上面により形成される屋根面２２ａは、全体として傾斜方向に延びる断面波形状となっている。
【００３２】
建物１０には、太陽光発電を行う太陽光発電装置３１が設けられている。太陽光発電装置３１は、太陽光が照射されることにより太陽光発電を行う太陽光パネル３２を有しており、太陽光パネル３２は屋根１３の上に設置されている。太陽光パネル３２は、一対の傾斜屋根部２２のそれぞれにおいて屋根面２２ａに沿って複数並べられている。太陽光パネル３２の受光面３２ａは平坦面とされており、太陽光パネル３２はその受光面３２ａが野地板２６と平行に延びるように配置されている。この場合、受光面３２ａは傾斜屋根部２２の傾斜方向に沿って延びている。
【００３３】
傾斜屋根部２２においては、太陽光パネル３２が支持部材としてのパネル支持台３５により下方から支持されている。具体的には、太陽光パネル３２の下側には、傾斜屋根部２２の棟方向において隣り合う太陽光パネル３２を連結するパネル連結フレーム３６が設けられている。パネル連結フレーム３６は、金属材料により形成された長尺材であり、各太陽光パネル３２の上端及び下端のそれぞれにおいて棟方向に延びるように配置されている。パネル支持台３５は、溝形鋼等の金属材料により形成された短尺材であり、パネル連結フレーム３６はパネル支持台３５の上に載置された状態でビス等の固定具によりパネル支持台３５に対して固定されている。パネル支持台３５は、傾斜屋根部２２の傾斜方向において隣り合う太陽光パネル３２の境界部のそれぞれに配置されているとともに、棟方向において所定間隔で複数並べて配置されている。
【００３４】
パネル支持台３５の設置部分には瓦２７として支持瓦２７ａが載置されており、パネル支持台３５は支持瓦２７ａの上に載置されている。支持瓦２７ａには上方に向けて突出した突出部３７が形成されており、その突出部３７の上面は野地板２６と平行に延びている。つまり、突出部３７の上面は傾斜屋根部２２と同じ傾斜角度とされている。パネル支持台３５は、支持瓦２７ａの突出部３７の上面に載置された状態でビス等の固定具により支持瓦２７ａ及び垂木２５に対して固定されている。
【００３５】
ここで、冬期において雪が降った場合、屋根１３に積もった雪が塊となって傾斜屋根部２２の傾斜に沿って滑り落ちることが想定される。特に、傾斜屋根部２２の上に太陽光パネル３２が設置されていると、雪の塊が滑り落ちやすい。これは、太陽光パネル３２の受光面３２ａが平坦面であるのに対して、本実施形態においては屋根面２２ａが複数の瓦２７により断面波形状とされているためである。
【００３６】
そこで、本実施形態では、傾斜屋根部２２において太陽光パネル３２よりも軒先側に雪止め部材４１を設け、太陽光パネル３２の受光面３２ａから雪の塊が一気に落ちることを雪止め部材４１により抑制している。ここでは、雪止め部材４１の構成について説明する。
【００３７】
図１において、雪止め部材４１は、アルミニウム等の金属材料により形成された平板状の網状体であり、太陽光パネル３２とほぼ同じ大きさ及び形状とされている。網状体としては、針金等の金属製の線材が編み込まれることで形成されたものや、合成樹脂製の板材に複数の貫通孔が設けられることで形成されたものが挙げられる。いずれの場合でも、網状体は全体として扁平形状とされた薄型の板材となっている。
【００３８】
雪止め部材４１は、屋根面２２ａに沿って延びた状態で太陽光パネル３２の軒先側に配置されており、特に傾斜屋根部２２の傾斜方向に沿って延びている。雪止め部材４１は、傾斜屋根部２２の傾斜方向において太陽光パネル３２と横並びとされており、屋根面２２ａ対する雪止め部材４１の上面は、屋根面２２ａに対する太陽光パネル３２の受光面３２ａの高さ位置とほぼ同じ又はそれよりも低い位置にある。また、雪止め部材４１は傾斜屋根部２２から上方に離間している。
【００３９】
雪止め部材４１は、太陽光パネル３２とほぼ同じ又はそれより小さい厚み寸法を有している。なお、雪止め部材４１は、その上面が屋根面２２ａに対する太陽光パネル３２の受光面３２ａの高さ位置とほぼ同じ又はそれよりも低い位置にあれば、太陽光パネル３２よりも大きい厚み寸法を有していてもよい。
【００４０】
雪止め部材４１は、一対の傾斜屋根部２２のそれぞれにおいて軒先２３に沿って複数並べられている。具体的には、玄関１５及びバルコニー１６側に配置された傾斜屋根部２２において、雪止め部材４１は玄関１５の上方に配置されている一方で、バルコニー１６の上方には配置されていない。また、敷地境界線Ｌ側に配置された傾斜屋根部２２において、雪止め部材４１は軒先２３の全体に沿って延びるように配置されている。
【００４１】
一対の傾斜屋根部２２のそれぞれにおいては、太陽光パネル３２の設置が可能な設置可能位置が複数設定されており、雪止め部材４１は設置可能位置において太陽光パネル３２に代えて設置されている。設置可能位置は、略矩形状であってその四隅にパネル支持台３５が配置されたスペースとされている。
【００４２】
図２において、雪止め部材４１は雪止め枠体４２により支持されており、その支持された状態で太陽光パネル３２の設置可能位置においてパネル支持台３５に対して固定されている。雪止め枠体４２は、雪止め部材４１の周縁部に沿って延びる矩形枠状とされており、雪止め部材４１は雪止め枠体４２の内側に嵌め込まれている。雪止め枠体４２は、傾斜屋根部２２の傾斜方向において上端及び下端のそれぞれの少なくとも一部がパネル支持台３５の上に載置され、その状態でビス等の固定具によりパネル支持台３５に固定されている。この場合、雪止め部材４１は、瓦２７の上方を覆った状態とされているとともに、その上面は太陽光パネル３２の受光面３２ａと略同一平面を形成している。また、雪止め部材４１及び雪止め枠体４２は、屋根面２２ａ（瓦２７の上面）から上方に離間している。
【００４３】
屋根１３に積もった雪が塊となって太陽光パネル３２の受光面３２ａを軒先側に向けて滑り落ちた場合、その雪の塊は雪止め部材４１の上に載ることになる。この場合、雪の塊は雪止め部材４１の網目に引っ掛かって止まり、網目により細分化された状態又は融けて水になった状態で雪止め部材４１の下側の屋根面２２ａに徐々に落下する。そして、屋根面２２ａに落下した雪や水は雪止め部材４１と屋根面２２ａとの間を通って、軒先２３から下方に順に落下する。これにより、太陽光パネル３２の受光面３２ａに載っている雪の塊が軒先２３から下方に落下することを抑制できる。
【００４４】
以上詳述した本実施形態によれば、以下の優れた効果が得られる。
【００４５】
傾斜屋根部２２においては、雪止め部材４１が太陽光パネル３２よりも軒先側にて屋根傾斜方向に沿って延びているため、太陽光パネル３２の上を滑り落ちた雪は雪止め部材４１に載って雪止め部材４１の網目に引っ掛かった状態でとどまることになる。この場合、雪は雪止め部材４１の上面に沿って屋根傾斜方向に比較的広域に薄く広がった状態となり、雪止め部材４１の上において雪の表面積が大きくなって太陽光による融雪が促進されるとともに、仮に雪が塊になっていたとしても雪止め部材４１の網目により細分化されながら徐々に融け落ちることで融雪が促進される。しかも、雪止め部材４１は傾斜屋根部２２から上方に離間しているため、雪止め部材４１の上に載った雪が網目を介して空気に触れることにより融雪がより一層促進される。
【００４６】
以上により、傾斜屋根部２２の上に太陽光パネル３２が設置されている構成において、太陽光パネル３２の上に積もった雪が軒先２３から下方に一気に落下することを抑制でき、しかも太陽光パネル３２による発電環境を早期に回復させることができる。
【００４７】
雪止め部材４１の上面は、太陽光パネル３２の受光面３２ａに比べて屋根面２２ａに対する高さ位置と同じ又はそれより低い位置にある。このため、太陽光パネル３２の上を滑り落ちた雪が、その太陽光パネル３２よりも軒先２３側にある雪止め部材４１の上に移動しやすくなる。したがって、屋根１３の上に積雪が残っていても、太陽光パネル３２の受光面３２ａ上からは雪の除去が促されることになり、太陽光発電能力を早期に回復させることが可能となる。
【００４８】
パネル支持台３５が太陽光パネル３２及び雪止め部材４１の両方を支持しているため、積雪が多い場合を想定しても雪止め部材４１を傾斜屋根部２２に対して強固に固定することができる。しかも、パネル支持台３５により太陽光パネル３２の設置が可能とされている位置に、太陽光パネル３２に代えて雪止め部材４１を設置することが可能となる。したがって、雪止め部材４１及び太陽光パネル３２の位置を任意に変更することができる。また、この場合、傾斜屋根部２２において雪止め部材４１を設置するための専用のスペースを確保する必要がないため、既存の建物１０を対象として傾斜屋根部２２に雪止め部材４１を設置することが可能となる。
【００４９】
一対の傾斜屋根部２２のうち玄関１５側の傾斜屋根部２２において、玄関１５の上方に雪止め部材４１が設置されているため、太陽光パネル３２の受光面３２ａに積もった雪が塊となって軒先２３から玄関１５に向けて一気に落下することを抑制できる。このため、屋根１３の上に雪が積もっている場合でも、玄関１５から建物１０内に出入りする住人等の安全性を確保することができる。
【００５０】
一対の傾斜屋根部２２のうち敷地境界線Ｌ側の傾斜屋根部２２において、敷地境界線Ｌに沿って延びるように軒先側の全体に雪止め部材４１が設置されているため、太陽光パネル３２の受光面３２ａに積もった雪が塊となって軒先２３から隣の敷地に一気に落下することを抑制できる。このため、屋根１３の上に雪が積もっている場合でも、隣の敷地の住人を対象として安全性を確保することができる。
【００５１】
（第２の実施形態）
本実施形態では、雪止め部材４１が傾斜屋根部２２と太陽光パネル３２との間に移動可能な構成としている。以下、雪止め部材４１を移動可能とする構成について、第１の実施形態との相違点を中心に図３、図４を参照しつつ説明する。図３は傾斜屋根部２２の構成を示す断面図、図４は雪止め部材４１の移動可能な位置について説明するための図である。なお、図４においては、（ａ）に雪止め部材４１が雪止め位置にある場合の図を示し、（ｂ）雪止め部材４１が収納位置にある場合の図を示す。
【００５２】
図３に示すように、傾斜屋根部２２においては、太陽光パネル３２がパネル支持部としてのパネル支持フレーム５１により下方から支持されている。パネル支持フレーム５１は、金属材料により形成された長尺材であり、屋根面２２ａに沿って傾斜屋根部２２の傾斜方向に延びるように配置されている。パネル支持フレーム５１は、パネル支持台３５に代えて支持瓦２７ａの突出部３７の上面に載置されており、ビス等の固定具により支持瓦２７ａ及び垂木２５に対して固定されている。この場合、パネル支持フレーム５１は、傾斜屋根部２２の傾斜方向において複数の支持瓦２７ａに架け渡された状態となっている。
【００５３】
太陽光パネル３２は、パネル支持フレーム５１の上に載置されており、ビス等の固定具によりパネル支持フレーム５１に対して固定されている。この場合、パネル支持フレーム５１は太陽光パネル３２よりも軒先側に突出していない。つまり、傾斜屋根部２２において太陽光パネル３２よりも軒先側の部分が太陽光パネル３２の設置可能位置とはされていない。
【００５４】
第１の実施形態と同様に、雪止め部材４１は屋根面２２ａに沿って延びた状態で太陽光パネル３２の軒先側に配置されており、雪止め部材４１の上面は太陽光パネル３２の受光面３２ａに比べて屋根面２２ａに対する高さ位置が低くされている。雪止め部材４１は、太陽光パネル３２一対の雪止め支持フレーム５３により支持されている。一対の雪止め支持フレーム５３はそれぞれアルミニウム等の金属材料により長尺状に形成されており、雪止め部材４１を挟んで平行に延びるように配置されている。一対の雪止め支持フレーム５３は、屋根面２２ａに沿って傾斜屋根部２２の傾斜方向に延びている。各雪止め支持フレーム５３においては、それぞれの一端が雪止め部材４１よりも太陽光パネル３２側（棟側）に突出しており、その突出部分がパネル支持フレーム５１により支持されている。なお、雪止め支持フレーム５３がスライド支持部材に相当する。
【００５５】
雪止め支持フレーム５３は、傾斜屋根部２２の傾斜方向にスライド移動可能な状態でパネル支持フレーム５１に対して取り付けられている。パネル支持フレーム５１には、その長手方向に沿って延びるレール部５５が設けられており、雪止め支持フレーム５３はそのレール部５５と係合した状態でそのレール部５５に沿ってスライド移動する。傾斜屋根部２２と太陽光パネル３２との間には隙間空間が形成されており、その隙間空間は雪止め部材４１を収納可能な収納スペースとされている。この場合、雪止め支持フレーム５３が軒先２３とは反対側（棟側）に向けてスライド移動することで、その雪止め支持フレーム５３と共に雪止め部材４１が前記収納スペースに収納される。
【００５６】
図４（ａ）に示すように、雪止め部材４１が太陽光パネル３２よりも軒先側にある場合、雪止め部材４１は雪止め機能を発揮できる。この場合の雪止め部材４１の位置が雪止め位置に相当する。一方、図４（ｂ）に示すように、雪止め部材４１は、屋根面２２ａに沿ってスライド移動することにより傾斜屋根部２２と太陽光パネル３２との間に収納される収納位置に移動する。雪止め部材４１は収納位置において太陽光パネル３２により覆い隠された状態となっている。なお、雪止め部材４１の収納位置が非雪止め位置に相当する。
【００５７】
なお、雪止め部材４１は、雪止め位置にある場合にスペーサ部材５６（図３参照）により傾斜屋根部２２から上方に離間した位置にて保持されている。スペーサ部材５６は、雪止め部材４１や雪止め支持フレーム５３に取り付けられており、雪止め部材４１の板面に沿って所定間隔で複数並べられている。スペーサ部材５６は、柔軟性を有するゴム等の材料により形成されており、屋根面２２ａ（瓦２７）に当接した状態でその屋根面２２ａを傷つけないようになっている。
【００５８】
以上詳述した本実施形態によれば、以下の優れた効果が得られる。
【００５９】
雪止め部材４１が傾斜屋根部２２と太陽光パネル３２との間の隙間空間に収納されるため、雪止め部材４１による雪止めを必要としない夏期等の時期において、雪止め部材４１を傾斜屋根部２２において上方に露出しない状態とすることができる。これにより、網状体よりなる雪止め部材４１にゴミや木葉等が引っ掛かることを抑制できるとともに、露出した状態の雪止め部材４１により建物１０屋根１３の外観が損なわれることを抑制できる。さらに、夏期等において雪止め部材４１を傾斜屋根部２２から取り外すという作業を行う必要がないため、雪止め部材４１の使い勝手を良くすることができる。
【００６０】
雪止め部材４１を支持する雪止め支持フレーム５３がパネル支持フレーム５１に対して傾斜屋根部２２の傾斜方向に沿ってスライド移動可能とされているため、雪止め部材４１を太陽光パネル３２と傾斜屋根部２２との間に収納する作業を容易化できる。しかも、雪止め支持フレーム５３が雪止め部材４１と一体的にスライド移動するため、雪止め部材４１だけでなく雪止め支持フレーム５３をも太陽光パネル３２の下側スペースに収納することができる。このため、ゴミや木葉等が雪止め支持フレーム５３に引っ掛かることを抑制できるとともに、露出した状態の雪止め支持フレーム５３により建物１０や屋根１３の外観が損なわれることを抑制できる。
【００６１】
（第３の実施形態）
本実施形態では、雪止め部材４１が太陽光パネル３２の受光面３２ａに重ねて設けられた構成としている。以下、雪止め部材４１の支持構成について、第１の実施形態との相違点を中心に図５、図６を参照しつつ説明する。図５は建物の外観を示す斜視図、図６は雪止め部材４１の移動可能な位置について説明するための図である。なお、図５及び図６のそれぞれにおいて、（ａ）に雪止め部材４１が雪止め位置にある場合の図を示し、（ｂ）に雪止め部材４１が非雪止め位置にある場合の図を示す。
【００６２】
図５（ａ）、図６（ａ）に示すように、一対の傾斜屋根部２２のうちバルコニー１６側の傾斜屋根部２２においては、雪止め部材４１がバルコニー１６の上方に配置されている。雪止め部材４１は、太陽光パネル３２の受光面３２ａ側に配置されており、その受光面３２ａに沿って延びている。雪止め部材４１は、傾斜屋根部２２の傾斜方向において軒先側に配置された２つの太陽光パネル３２に跨った状態で配置されている。この場合、雪止め部材４１において傾斜方向の長さ寸法は、太陽光パネル３２の２つ分の長さ寸法とされている。
【００６３】
なお、本実施形態のように太陽光パネル３２の受光面３２ａの上に設けられた雪止め部材４１がパネル上雪止め部材に相当する。
【００６４】
雪止め部材４１は、傾斜屋根部２２の傾斜方向に並ぶ複数のパネル支持台３５のうち軒先側のパネル支持台３５により支持されている。そのパネル支持台３５には、上方に延びる雪止め支持アーム６１が太陽光パネル３２の軒先側に設けられている。雪止め部材４１は雪止め支持アーム６１に対してヒンジ部材により回動可能に軸支されており、その回動軸６２は軒先２３に沿って延びている。なお、雪止め支持アーム６１が移動手段に相当し、雪止め部材４１について、太陽光パネル３２と重なった状態にある位置が雪止め位置に相当する。
【００６５】
雪止め部材４１は、雪止め位置にある場合にスペーサ部材６３により太陽光パネル３２の受光面３２ａから上方に離間した位置にて保持されている。スペーサ部材６３は、雪止め部材４１に取り付けられており、雪止め部材４１の板面に沿って所定間隔で複数並べられている。スペーサ部材６３は、柔軟性を有するゴム等の材料により形成されており、受光面３２ａに当接した状態でその受光面３２ａを傷つけないようになっている。
【００６６】
ここで、雪止め部材４１は太陽光パネル３２の上に配置されているため、雪止め部材４１の上面は、屋根面２２ａに対して太陽光パネル３２の受光面３２ａよりも高い位置にある。ところが、雪止め部材４１は薄型網状とされているため、受光面３２ａを滑り落ちた雪は、雪止め部材４１が太陽光パネル３２の軒先２３側に配置された構成（第１の実施形態の構成）と同様に、雪止め部材４１の上に載り、その雪止め部材４１に沿って屋根傾斜方向に沿って比較的広域に薄く広がった状態となる。
【００６７】
雪止め部材４１は回動軸６２を中心に回動することにより、図５（ａ）、図６（ａ）に示すように、回動先端側が軒先２３から建物本体１２の側方へ突出した状態となる庇位置に移行する。雪止め部材４１は、庇位置にある場合にバルコニー１６を上方から覆っており、バルコニー１６の庇としての役割を果たすことになる。なお、雪止め部材４１の庇位置が非雪止め位置に相当する。
【００６８】
バルコニー１６には、バルコニー床６５の周縁部を囲むように設けられた手摺り６６が立設されており、その手摺り６６に対して、庇位置にある雪止め部材４１の回動先端側を下方から支持する雪止め支柱６９が固定されている。
【００６９】
以上詳述した本実施形態によれば、以下の優れた効果が得られる。
【００７０】
雪止め部材４１は、雪止め位置にある場合に太陽光パネル３２の受光面３２ａに重なった状態とされているため、太陽光パネル３２の設置スペースを極力大きくする等の目的から傾斜屋根部２２上に雪止め部材４１の設置スペースが確保されていなくても、太陽光パネル３２の受光面３２ａ上に雪止め機能を付与できる。しかも、雪止め部材４１は、太陽光パネル３２よりも軒先２３側に移動可能とされているため、太陽光パネル３２の受光面３２ａへの太陽光の照射が雪止め部材４１により遮られて太陽光パネル３２の発電能力が下がるという不都合を回避できる。
【００７１】
雪止め部材４１が庇位置に移動可能であるため、雪止め部材４１による雪止めを必要としない夏期等の時期において、雪止め部材４１をバルコニー１６の庇として利用することができる。この場合、傾斜屋根部２２やバルコニー１６に庇専用の部材を設けなくても、バルコニー１６への日差しを好適に遮ることができるため、雪止め部材４１の使い勝手を良くすることができる。
【００７２】
雪止め部材４１は回動可能に軸支されているため、雪止め部材４１を回動させることで雪止め位置と庇位置とに移動させることができる。この場合、太陽光パネル３２の受光面３２ａに沿ってスライド移動させる場合に比べて、雪止め部材４１が太陽光パネル３２の受光面３２ａに接触しにくい。したがって、太陽光パネル３２の受光面３２ａ側に雪止め部材４１が配置され、さらにその雪止め部材４１が移動可能な構成において、雪止め部材４１により太陽光パネル３２を破損させることを抑制できる。
【００７３】
一対の傾斜屋根部２２のうちバルコニー１６側の傾斜屋根部２２において、バルコニー１６の上方に雪止め部材４１が設置されているため、太陽光パネル３２の受光面３２ａに積もった雪が塊となって軒先２３からバルコニー１６に向けて一気に落下することを抑制できる。このため、屋根１３の上に雪が積もっている場合でも、バルコニー１６を使用する住人等の安全性を確保することができる。
【００７４】
雪止め部材４１が庇位置にある場合、その雪止め部材４１は太陽光パネル３２よりも軒先２３側に配置されていることになるため、庇としての機能に加えて、雪止めとしての機能を発揮することができる。
【００７５】
（他の実施形態）
本発明は上記各実施形態の記載内容に限定されず、例えば次のように実施してもよい。
【００７６】
（１）上記第３の実施形態では、庇位置に移動可能なパネル上雪止め部材としての雪止め部材４１が太陽光パネル３２に重なる位置に設けられていたが、その雪止め部材４１は、図７（ａ）に示すように、太陽光パネル３２よりも軒先側において傾斜屋根部２２の屋根面２２ａと重なる位置に設けられていてもよい。この構成では、雪止め部材４１は太陽光パネル３２よりも軒先側にて雪止め機能を発揮することになる。
【００７７】
また、雪止め部材４１は庇位置において、軒先２３から下方に延びる状態とされていてもよい。この場合でも、雪止め部材４１によりバルコニー１６や居室への日差しを遮ることができる。なお、この場合、雪止め部材４１の回動軸６２は軒先２３から側方に離間した位置に配置されていることが好ましい。
【００７８】
（２）上記第３の実施形態において、パネル上雪止め部材としての雪止め部材４１は、互いに上下に重なった状態となる複数の網状体を有していてもよい。例えば、図７（ｂ）に示すように、雪止め部材４１が、２つの網状体７１を有し且つ太陽光パネル３２の上に設置されている構成とする。雪止め部材４１において、２つの網状体７１は互いに重なっていない状態に移行可能とされている。具体的には、上下に重なった２つの網状体７１のうち上側の網状体７１が回動可能に軸支されており、回動することで下側の網状体７１の棟側に移動する。この場合、２つの網状体７１は屋根傾斜方向に沿って横並びとなり、傾斜屋根部２２の上において雪止め部材４１による雪止め領域を拡張できる。したがって、屋根１３上の積雪が一気に落下すること及び太陽光パネル３２による発電環境を早期に回復させることの両方を好適に促進させることができる。
【００７９】
なお、雪止め部材４１においては、２つの網状体７１のうち一方がスライド移動することで雪止め領域が拡張される構成としてもよい。
【００８０】
（３）雪止め部材４１は、傾斜屋根部２２の上において太陽光パネル３２よりも軒先側の位置、及び太陽光パネル３２の受光面３２ａ上の所定の雪止め位置のそれぞれに設けられていてもよい。例えば、図７（ｃ）に示すように、第１雪止め部材４１ａが太陽光パネル３２よりも軒先側の位置に設けられ、パネル上雪止め部材としての第２雪止め部材４１ｂが太陽光パネル３２の受光面３２ａ上に設けられている構成とする。
【００８１】
この構成では、第１雪止め部材４１ａ及び第２雪止め部材４１ｂの両方が非雪止め位置に移動可能とされている。非雪止め位置は太陽光パネル３２と傾斜屋根部２２との間の収納スペース（隙間空間）とされており、雪止め部材４１ａ，４１ｂは収納スペースにおいて上下に重ねた状態で収納されるようになっている。
【００８２】
第１雪止め部材４１ａを収納スペースに移動させる構成としては、第２の実施形態のように、第１雪止め部材４１ａをパネル支持フレーム５１に沿ってスライド移動させる構成が挙げられる。また、第２雪止め部材４１ｂを収納スペースに移動させる構成としては、第３の実施形態のように、第２雪止め部材４１ｂは雪止め支持アーム６１により回動可能に軸支され、その回動軸６２が屋根面２２ａに近づく側にスライド移動可能な構成が挙げられる。この場合、第２雪止め部材４１ｂを、回動させることで太陽光パネル３２よりも軒先側に移動させ、その状態で回動軸６２ごと屋根面２２ａに近づく側にスライド移動させ、さらに棟側に向けてスライド移動させることで収納スペースに移動させることになる。
【００８３】
（４）第３の実施形態では、雪止め部材４１の回動軸６２が屋根面２２ａと平行に延びているが、その回動軸６２は屋根面２２ａや太陽光パネル３２の受光面３２ａと直交する方向に延びていてもよい。この構成によれば、雪止め部材４１を回動させることで傾斜屋根部２２の屋根面２２ａ又は太陽光パネル３２の受光面３２ａに沿って移動させることが可能となる。この構成でも、雪止め部材４１を雪止め位置及び非雪止め位置に移動可能とする構成を実現できる。
【００８４】
また、第２の実施形態においても、雪止め部材４１が屋根面２２ａに沿って回動移動することで太陽光パネル３２と傾斜屋根部２２との間の隙間空間に移動する構成としてもよい。
【００８５】
（５）第２の実施形態では、雪止め部材４１を支持する雪止め支持フレーム５３がパネル支持フレーム５１に対してスライド移動する構成としたが、雪止め部材４１が雪止め支持フレーム５３に対してスライド移動する構成としてもよい。この場合、雪止め部材４１を収納スペースに移動させた場合に、雪止め支持フレーム５３は太陽光パネル３２の軒先側に残ることになるが、雪止め支持フレーム５３を傾斜屋根部２２の支持瓦２７ａ等に対して固定できる。つまり、雪止め支持フレーム５３による雪止め部材４１の支持強度を高めることができる。また、太陽光パネル３２を支持するパネル支持フレーム５１が太陽光パネル３２よりも軒先２３側に突出していてもよい。
【００８６】
（６）第３の実施形態では、雪止め部材４１が雪止め位置にある場合、その雪止め部材４１の全体が太陽光パネル３２と重なった状態とされているが、雪止め部材４１の一部が太陽光パネル３２と重なった状態とされていてもよい。また、雪止め部材４１は、全ての太陽光パネル３２のそれぞれに対して設けられ、各雪止め部材４１が雪止め位置にある場合は全ての太陽光パネル３２が雪止め部材４１により上方から覆われた状態とされていてもよい。
【００８７】
（７）第３の実施形態では、雪止め部材４１が回動することで庇位置に移動する構成としたが、雪止め部材４１が軒先側に向けてスライド移動することで庇位置に移動する構成としてもよい。例えば、傾斜屋根部２２の上に案内レールが設けられており、その案内レールに沿って雪止め部材４１が庇位置までスライド移動する構成とする。この場合、案内レールが移動手段に相当する。
【００８８】
（８）太陽光パネル３２及び雪止め部材４１が設置される屋根１３としては、切妻式の他に寄棟式、片流れ式などの屋根が挙げられる。要は、傾斜屋根部２２を有し、その傾斜屋根部２２に太陽光パネル３２及び雪止め部材４１が設置されていればよい。
【符号の説明】
【００８９】
１０…建物、１３…屋根、２１…棟、２２…傾斜屋根部、２２ａ…屋根面、２３…軒先、３２…太陽光パネル、３２ａ…受光面、３５…支持部材としてのパネル支持台、４１…雪止め部材及びパネル上雪止め部材としての雪止め部材、５１…支持部材としてのパネル支持フレーム、５３…スライド支持部材としての雪止め支持フレーム、６１…移動手段としての雪止め支持アーム、７１…網状体。
【図１】
2012246639.tif 000003
【図２】
2012246639.tif 000004
【図３】
2012246639.tif 000005
【図４】
2012246639.tif 000006
【図５】
2012246639.tif 000007
【図６】
2012246639.tif 000008
【図７】
2012246639.tif 000009